(57)【特許請求の範囲】
【請求項１】
伸縮性を有するストレッチャブル導電層と、
前記ストレッチャブル導電層の一表面に形成されたホットメルト接着剤層と、
前記ホットメルト接着剤層における前記ストレッチャブル導電層側とは反対側の表面に形成された剥離フィルムとを含み、
前記ストレッチャブル導電層は、エラストマーと、前記エラストマー中に充填されている導電性フィラーとを含む導電性組成物から構成されている、テキスタイル用ストレッチャブル導電性フィルム。
【請求項２】
伸縮性を有するストレッチャブル導電層と、
前記ストレッチャブル導電層の一表面に形成されたホットメルト接着剤層と、
前記ストレッチャブル導電層における前記ホットメルト接着剤層側とは反対側の表面に形成された第１剥離フィルムと、
前記ホットメルト接着剤層における前記ストレッチャブル導電層側とは反対側の表面に形成された第２剥離フィルムとを含み、
前記ストレッチャブル導電層は、エラストマーと、前記エラストマー中に充填されている導電性フィラーとを含む導電性組成物から構成されている、テキスタイル用ストレッチャブル導電性フィルム。
【請求項３】
前記ストレッチャブル導電層における前記ホットメルト接着剤層側とは反対側の表面の少なくとも一部に形成された伸縮性を有するストレッチャブル保護層をさらに含む、請求項１に記載のテキスタイル用ストレッチャブル導電性フィルム。
【請求項４】
伸縮性を有するストレッチャブル導電層と、
前記ストレッチャブル導電層の一表面に形成されたホットメルト接着剤層と、
前記ストレッチャブル導電層における前記ホットメルト接着剤層側とは反対側の表面の少なくとも一部に形成された伸縮性を有するストレッチャブル保護層と、
前記ストレッチャブル導電層における前記ホットメルト接着剤層側とは反対側の表面側に、前記ストレッチャブル保護層を覆うように形成された第１剥離フィルムと、
前記ホットメルト接着剤層における前記ストレッチャブル導電層側とは反対側の表面に形成された第２剥離フィルムとを含み、
前記ストレッチャブル導電層は、エラストマーと、前記エラストマー中に充填されている導電性フィラーとを含む導電性組成物から構成されている、テキスタイル用ストレッチャブル導電性フィルム。
【請求項５】
前記導電性フィラーがデンドライト状である、請求項１〜４のいずれか一項に記載のテキスタイル用ストレッチャブル導電性フィルム。
【請求項６】
前記導電性フィラーがデンドライト状の銀粉である、請求項５に記載の導電性組成物。
【請求項７】
前記導電性フィラーが、デンドライト状の銅粉に銀がコーティングされた、銀コート銅粉である、請求項５に記載の導電性組成物。
【請求項８】
前記導電性フィラーがコイル形状である、請求項１〜４のいずれか一項に記載のテキスタイル用ストレッチャブル導電性フィルム。
【請求項９】
伸縮性を有するストレッチャブル導電層と、
前記ストレッチャブル導電層の一表面に形成されたホットメルト接着剤層とを含み、
前記ストレッチャブル導電層は、エラストマーと、前記エラストマー中に充填されている導電性フィラーとを含む導電性組成物から構成されており、
前記導電性フィラーがコイル形状である、テキスタイル用ストレッチャブル導電性フィルム。
【請求項１０】
伸縮性を有するストレッチャブル導電層と、
前記ストレッチャブル導電層の一表面に形成されたホットメルト接着剤層と、
前記ストレッチャブル導電層における前記ホットメルト接着剤層側とは反対側の表面の少なくとも一部に形成された伸縮性を有するストレッチャブル保護層とを含み、
前記ストレッチャブル導電層は、エラストマーと、前記エラストマー中に充填されている導電性フィラーとを含む導電性組成物から構成されており、
前記導電性フィラーがコイル形状である、テキスタイル用ストレッチャブル導電性フィルム。
【発明の詳細な説明】
【技術分野】
【０００１】
この発明は、生体情報計測用の電極・配線材として使用できるテキスタイル用ストレッチャブル導電性フィルムに関する。
【背景技術】
【０００２】
テキスタイル型のウェアラブルデバイスを使用して、人間の生体情報を電子的に計測する技術が注目されている。ここで、テキスタイル型のウェアラブルデバイスとは、衣類として着ながら計測や操作をすることができるデバイスをいう。テキスタイル型のウェアラブルデバイスの素材としては、高導電性樹脂でコーティングした繊維が開発されている。
【先行技術文献】
【特許文献】
【０００３】
【特許文献１】特開２０１４−１６２１２４号公報
【発明の概要】
【発明が解決しようとする課題】
【０００４】
この発明は、テキスタイル生地に容易に貼り付けることができ、かつ導電性および伸縮性を有するテキスタイル用ストレッチャブル導電性フィルムを提供することを目的とする。
【課題を解決するための手段】
【０００５】
この発明による第１のテキスタイル用ストレッチャブル導電性フィルムは、伸縮性を有するストレッチャブル導電層と、前記ストレッチャブル導電層の一表面に形成されたホットメルト接着剤層と、前記ホットメルト接着剤層における前記ストレッチャブル導電層側とは反対側の表面に形成された剥離フィルムとを含み、前記ストレッチャブル導電層は、エラストマーと、前記エラストマー中に充填されている導電性フィラーとを含む導電性組成物から構成されている。
【０００６】
この構成では、テキスタイル生地に容易に貼り付けることができるテキスタイル用ストレッチャブル導電性フィルムが得られる。また、ストレッチャブル導電層は、エラストマーと、エラストマー中に充填されている導電性フィラーとを含む導電性組成物から構成されているので、テキスタイル生地に貼り付けられたテキスタイル用ストレッチャブル導電性フィルムは、導電性および伸縮性を有する。
【０００７】
この発明による第２のテキスタイル用ストレッチャブル導電性フィルムは、伸縮性を有するストレッチャブル導電層と、前記ストレッチャブル導電層の一表面に形成されたホットメルト接着剤層と、前記ストレッチャブル導電層における前記ホットメルト接着剤層側とは反対側の表面に形成された第１剥離フィルムと、前記ホットメルト接着剤層における前記ストレッチャブル導電層側とは反対側の表面に形成された第２剥離フィルムとを含み、前記ストレッチャブル導電層は、エラストマーと、前記エラストマー中に充填されている導電性フィラーとを含む導電性組成物から構成されている。
【０００８】
この発明の一実施形態では、前記ストレッチャブル導電層における前記ホットメルト接着剤層側とは反対側の表面の少なくとも一部に形成された伸縮性を有するストレッチャブル保護層をさらに含む。
【０００９】
この発明による第３のテキスタイル用ストレッチャブル導電性フィルムは、伸縮性を有するストレッチャブル導電層と、前記ストレッチャブル導電層の一表面に形成されたホットメルト接着剤層と、前記ストレッチャブル導電層における前記ホットメルト接着剤層側とは反対側の表面の少なくとも一部に形成された伸縮性を有するストレッチャブル保護層と、前記ストレッチャブル導電層における前記ホットメルト接着剤層側とは反対側の表面側に、前記ストレッチャブル保護層を覆うように形成された第１剥離フィルムと、前記ホットメルト接着剤層における前記ストレッチャブル導電層側とは反対側の表面に形成された第２剥離フィルムとを含み、前記ストレッチャブル導電層は、エラストマーと、前記エラストマー中に充填されている導電性フィラーとを含む導電性組成物から構成されている。
【００１０】
この発明の一実施形態では、前記導電性フィラーがデンドライト状である。
この発明の一実施形態では、前記導電性フィラーがデンドライト状の銀粉である。
この発明の一実施形態では、前記導電性フィラーが、デンドライト状の銅粉に銀がコーティングされた、銀コート銅粉である
この発明の一実施形態では、前記導電性フィラーがコイル形状である。
この発明による第４のテキスタイル用ストレッチャブル導電性フィルムは、伸縮性を有するストレッチャブル導電層と、前記ストレッチャブル導電層の一表面に形成されたホットメルト接着剤層とを含み、前記ストレッチャブル導電層は、エラストマーと、前記エラストマー中に充填されている導電性フィラーとを含む導電性組成物から構成されており、前記導電性フィラーがコイル形状である。
この発明による第５のテキスタイル用ストレッチャブル導電性フィルムは、伸縮性を有するストレッチャブル導電層と、前記ストレッチャブル導電層の一表面に形成されたホットメルト接着剤層と、前記ストレッチャブル導電層における前記ホットメルト接着剤層側とは反対側の表面の少なくとも一部に形成された伸縮性を有するストレッチャブル保護層とを含み、前記ストレッチャブル導電層は、エラストマーと、前記エラストマー中に充填されている導電性フィラーとを含む導電性組成物から構成されており、前記導電性フィラーがコイル形状である。
【図面の簡単な説明】
【００１１】
【図１】図１は、この発明の第１実施形態に係るテキスタイル用ストレッチャブル導電性フィルムの構成を示す模式的な断面図である。
【図２】図２は、ストレッチャブル導電層のサンプルの形状を説明するための模式的な斜視図である。
【図３Ａ】図３Ａは、主として、サンプルａ１，ｂ１，ｃ１に対して、２０％引張歪を周波数１．０Ｈｚで１００回繰り返して加えときの、各サンプルａ１，ｂ１，ｃ１の抵抗値の変化を示すグラフである。
【図３Ｂ】図３Ｂは、図３Ａの折線Ａ１，Ｂ１およびＣ１における抵抗値０Ω〜５０Ωの範囲内の部分を拡大して示すグラフである。
【図３Ｃ】図３Ｃは、主として、サンプルｄ１，ｅ１，ｆ１，ｇ１に対して、２０％引張歪を周波数１．０Ｈｚで１００回繰り返して加えときの、各サンプルｄ１，ｅ１，ｆ１，ｇ１の抵抗値の変化を示すグラフである。
【図４】図４は、主として、サンプルａ２，ｂ２，ｃ２に対して、４０％引張歪を周波数１．０Ｈｚで１００回繰り返して加えときの、各サンプルａ２，ｂ２，ｃ２の抵抗値の変化を示すグラフである。
【図５Ａ】図５Ａは、サンプルａ３，ｂ３，ｃ３，ｄ３，ｅ３，ｆ３およびｇ３を複数の異なる伸長率で伸長させた場合の、各サンプルａ３，ｂ３，ｃ３，ｄ３，ｅ３，ｆ３およびｇ３の伸長率に対する抵抗値を示すグラフである。
【図５Ｂ】図５Ｂは、図５Ａに示されたグラフのうち、サンプルｂ３，ｄ３およびｅ３のみに対するグラフを抽出したグラフである。
【図５Ｃ】図５Ｃは、図５Ａに示されたグラフのうち、サンプルｄ３，ｅ３，ｆ３およびｇ３のみに対するグラフを抽出したグラフである。
【図６】図６Ａ〜図６Ｃは、ストレッチャブル導電性フィルムの製造方法を示す工程図である。
【図７】図７Ａ〜図７Ｃは、ストレッチャブル導電性フィルムの他の製造方法を示す工程図である。
【図８】図８Ａ〜図８Ｄは、ストレッチャブル導電性フィルムの使用方法を説明するための模式的な断面図である。
【図９】図９は、ストレッチャブル導電性フィルムが心電計測用の電極・配線材として使用された例を示す模式図である。
【図１０】図１０は、ストレッチャブル導電性フィルムが筋電計測用の電極・配線材として使用された例を示す模式図である。
【図１１】図１１Ａは、試験用サンプルの構成を図解的に示す平面図であり、図１１Ｂは、試験用サンプルの構成を図解的に示す正面図である。
【図１２】図１２は、試験用サンプルに対する評価試験の結果を示すグラフである。
【図１３】図１３Ａ〜図１３Ｅは、それぞれ、第２〜第６実施形態に係るストレッチャブル導電性フィルムの構成を示す断面図である。
【図１４】図１４Ａは第６実施形態に係るストレッチャブル導電性フィルムの使用状態を示す断面図であり、図１４は第６実施形態に係るストレッチャブル導電性フィルムの使用状態の他の例を示す断面図である。
【発明を実施するための形態】
【００１２】
図１は、この発明の第１実施形態に係るテキスタイル用ストレッチャブル導電性フィルムの構成を示す模式的な断面図である。
テキスタイル用ストレッチャブル導電性フィルム（以下、単に、「ストレッチャブル導電性フィルム１」という。）は、第１剥離フィルム（転写フィルム）２と、第１剥離フィルム２の一表面に形成されたストレッチャブル導電層３と、ストレッチャブル導電層３における第１剥離フィルム２側とは反対側の表面に形成されたホットメルト接着剤層４と、ホットメルト接着剤層４におけるストレッチャブル導電層３側とは反対側の表面に形成された第２剥離フィルム（保護フィルム）５とを含んでいる。ストレッチャブル導電性フィルム１は、シート状である。ストレッチャブル導電性フィルム１は、一方向に長い長尺状であってもよい。
【００１３】
第１剥離フィルム２としては、剥離紙（離型紙）、フッ素フィルム、片面または両面にシリコーン系または非シリコーン系（メラミン系、アクリル系等）の離型剤を塗布したポリエチレンナフタレート（ＰＥＮ）フィルム、ポリエチレンテレフタレート（ＰＥＴ）フィルム等が用いられる。第２剥離フィルム５としても、第１剥離フィルム２と同様のものが用いられる。
【００１４】
ホットメルト接着剤層４に使用されるホットメルト接着剤の材質としては、ポリエステル系、ポリウレタン系、ポリアミド系、オレフィン系、エチレン酢酸ビニル系等の熱可塑性樹脂があるが、本発明におけるホットメルト接着剤としては、融点が１３０℃以下、デュロメータ硬さが９５Ａ以下、破断伸度が３００％以上であるのが好ましく、融点が１２０℃以下、デュロメータ硬さが８５Ａ以下、破断伸度が５００％以上であるのがより好ましい。ホットメルト接着剤として、より具体的には、シーダム株式会社製の製品名「ＳＨＭ１０１−ＰＵＲ」等のポリウレタン系熱可塑性樹脂を用いることができる。
【００１５】
ストレッチャブル導電層３は、エラストマーと、エラストマー中に充填されている導電性フィラーとを含む導電性組成物から構成される。
エラストマーは、例えば、スチレン系エラストマー、オレフィン系エラストマー、ポリエステル系エラストマー、ポリウレタン系エラストマー、ポリアミド系エラストマー、シリコーン系エラストマー等の弾性力を有する樹脂である。ポリウレタン系エラストマーはハードセグメントとソフトセグメントから構成され、ソフトセグメントとしては、カーボネート、エステル、エーテル等があり、物性としては、１００％モジュラスが２〜２０ＭＰａ、破断強度が４０〜９０ＭＰａ、破断伸度が３００〜５００％、永久ひずみが２０％以下、熱軟化点が１５０℃以上であるのが好ましく、１００％モジュラスが３〜１０ＭＰａ、破断強度が５０〜７５ＭＰａ、破断伸度が３５０〜４５０％、永久ひずみが１０％以下、熱軟化点が１７０℃以上であるのがより好ましい。
【００１６】
具体的には大日精化工業株式会社製ＮＥ−８８８０、ＭＡＵ−９０２２、ＮＥ−３１０、ＮＥ−３０２ＨＶ、ＣＵ−８４４８等を使用することができる。また、ポリウレタン系エラストマーとして、ＤＩＣ株式会社製のパンデックス３７２Ｅを使用することができる。エラストマーは、単一の樹脂からなっていてもよく、複数種類の樹脂を含んでいてもよい。また、エラストマーは、製造性（加工性）、柔軟性等を向上させる観点から、可塑剤、加工助剤、架橋剤、加硫促進剤、加硫助剤、老化防止剤、軟化剤、着色剤等の添加剤を含んでいてもよい。
【００１７】
導電性フィラーの形状は、デンドライト状、コイル形状、塊状、球状、フレーク状、針状、繊維状等であってもよい。デンドライト状とは、棒状の主枝から棒状の分岐枝が２次元方向または３次元方向に延びた形状をいう。また、デンドライト状には、前記分岐枝が途中で折れ曲がった形状や、前記分岐枝の途中からさらに棒状の分岐枝が延びている形状も含まれる。
【００１８】
デンドライト状の導電性フィラーについて、詳しく説明する。デンドライト状の導電性フィラーは、例えば、デンドライト状の銅粉または銀粉であってもよく、デンドライト状の銅粉に銀がコーティングされてなる銀コート銅粉またはデンドライト状の銅粉に金がコーティングされてなる金コート銅粉であってもよい。導電性フィラーがデンドライト状の銀コート銅粉からなる場合、比較的に安価でありながらも、銀からなる導電性フィラーに近い抵抗値を有し、かつ優れた導電性および耐マイグレーション性を有する導電性フィラーを実現できる。また、導電性フィラーがデンドライト状の銅粉からなる場合には、安価でありながらも、低い抵抗値を有する導電性フィラーを実現できる。 
【００１９】
導電性フィラーがデンドライト状の銀コート銅粉からなる場合、エラストマーとしてポリウレタン系エラストマーが採用されることが好ましい。この場合、ポリウレタン系エラストマーは、体積抵抗率が１０Ｅ＋１１〜１３Ωｃｍであり、他のエラストマーよりも２ケタ程度低く、銀を含む導電性フィラーに対して高い親和性を有しているので、導電性組成物を良好に伸張させることができる。
【００２０】
導電性フィラーの粒径は、下限は１μｍ、好ましくは２μｍである。下限が１μｍ以上であると、導電性フィラー同士が接触しやすく、導電性組成物の導電性が良好になる。また、導電性フィラーの粒径の上限は２０μｍ、好ましくは１０μｍである。上限が２０μｍ以下であると、導電性組成物からなる導電層の厚みを薄くすることができる。
導電性フィラーがコイル形状（螺旋形状、スパイラル形状含む）であれば、エラストマーが伸張した場合、導電性フィラーはコイルが引っ張られたときにように伸びる。したがって、エラストマーが伸張した場合においても、導電性組成物の抵抗値の増加を抑制することができる。これにより、伸縮性を有しかつ伸張時における抵抗値の増加を抑制できる導電性組成物を提供できる。
［ストレッチャブル導電層の実施例］
ストレッチャブル導電層３の実施例について説明する。
【００２１】
表１は、ストレッチャブル導電層３の実施例１〜７を示している。
【００２２】
【表１】
0006660542.tif 000002
【００２３】
[ストレッチャブル導電層の実施例１]
ポリウレタン系エラストマー（ＤＩＣ株式会社製  パンデックス３７２Ｅ）に、平均粒径５μｍでデンドライト状の銀コート銅粉（三井金属鉱業株式会社製）を、銀コート銅粉の充填率（導電性組成物における導電性フィラーの充填率）が８０質量％となるように配合した。次いで、ポリウレタン系エラストマー１００質量部に対して、イソプロピルアルコールとトルエンとの混合溶媒（イソプロピルアルコールとトルエンの重量比が５：５）を４０質量部添加し、遊星攪拌機によって撹拌した。これにより、ポリウレタン系エラストマーと銀コート銅粉と有機溶剤とを含む溶液（以下、「導電性溶液」という。）を得た。
【００２４】
次いで、アプリケータを用いて、乾燥後の膜厚が８０μｍとなるように、導電性溶液を剥離フィルムの一表面に塗布し、加熱乾燥した。この加熱乾燥工程においては、６０℃の熱風による加熱乾燥、１００℃の熱風による加熱乾燥および１２０℃の熱風による加熱乾燥を、２分間ずつ行った。これにより、剥離フィルムの一表面に薄膜状の導電性組成物（以下、「導電層」という。）が形成された。
【００２５】
次に、導電層を所定の大きさに切断した後、導電層から剥離フィルムを剥離することにより、ストレッチャブル導電層３のサンプルｂ１，ｂ２およびｂ３を得た。
［ストレッチャブル導電層の実施例２］
銀コート銅粉の充填率が９０質量％となるようにポリウレタン系エラストマーにデンドライト状の銀コート銅粉を配合する点およびポリウレタン系エラストマー１００質量部に対して混合溶剤を１６４質量部とする点を除いては、実施例１と同様にして剥離フィルムの一表面に導電層を形成し、導電層を所定の大きさに切断した後、導電層から剥離フィルムを剥離することにより、ストレッチャブル導電層３のサンプルｃ１，ｃ２およびｃ３を得た。
［ストレッチャブル導電層の実施例３］
銀コート銅粉の充填率が６０質量％となるようにポリウレタン系エラストマーにデンドライト状の銀コート銅粉を配合する点および混合溶剤を使用しない点を除いては、実施例１と同様にして剥離フィルムの一表面に導電層を形成し、導電層を所定の大きさに切断した後、導電層から剥離フィルムを剥離することにより、ストレッチャブル導電層３のサンプルａ１，ａ２およびａ３を得た。
[ストレッチャブル導電層の実施例４]
ポリウレタン系エラストマー（大日精化工業株式会社製  ＮＥ−３１０）に、平均粒径５μｍでデンドライト状の銀コート銅粉（三井金属鉱業株式会社製）を、銀コート銅粉の充填率（導電性組成物における導電性フィラーの充填率）が８０質量％となるように配合した。次いで、ポリウレタン系エラストマー１００質量部に対して、イソプロピルアルコールとトルエンとの混合溶媒（イソプロピルアルコールとトルエンの重量比が５：５）を４０質量部添加し、遊星攪拌機によって撹拌した。これにより、ポリウレタン系エラストマーと銀コート銅粉と有機溶剤とを含む溶液（以下、「導電性溶液」という。）を得た。
【００２６】
次いで、アプリケータを用いて、乾燥後の膜厚が６０μｍとなるように、導電性溶液を剥離フィルムの一表面に塗布し、加熱乾燥した。この加熱乾燥工程においては、６０℃の熱風による加熱乾燥、１００℃の熱風による加熱乾燥および１２０℃の熱風による加熱乾燥を、２分間ずつ行った。これにより、剥離フィルムの一表面に薄膜状の導電性組成物（以下、「導電層」という。）が形成された。
【００２７】
次に、導電層を所定の大きさに切断した後、導電層から剥離フィルムを剥離することにより、ストレッチャブル導電層３のサンプルｄ１，ｄ３を得た。
[ストレッチャブル導電層の実施例５]
乾燥後の膜厚が４０μｍとなるように導電性溶液を剥離フィルムの一表面に塗布する点を除いては、実施例４と同様にして剥離フィルムの一表面に導電層を形成し、導電層を所定の大きさに切断した後、導電層から剥離フィルムを剥離することにより、ストレッチャブル導電層３のサンプルｅ１，ｅ３を得た。
[ストレッチャブル導電層の実施例６]
ポリウレタン系エラストマー（大日精化工業株式会社製  ＮＥ−３１０）に、平均粒径５μｍでデンドライト状の銀粉（三井金属鉱業株式会社製）を、銀粉の充填率（導電性組成物における導電性フィラーの充填率）が８０質量％となるように配合した。次いで、ポリウレタン系エラストマー１００質量部に対して、イソプロピルアルコールとトルエンとの混合溶媒（イソプロピルアルコールとトルエンの重量比が５：５）を４０質量部添加し、遊星攪拌機によって撹拌した。これにより、ポリウレタン系エラストマーと銀粉と有機溶剤とを含む溶液（以下、「導電性溶液」という。）を得た。
【００２８】
次いで、アプリケータを用いて、乾燥後の膜厚が６０μｍとなるように、導電性溶液を剥離フィルムの一表面に塗布し、加熱乾燥した。この加熱乾燥工程においては、６０℃の熱風による加熱乾燥、１００℃の熱風による加熱乾燥および１２０℃の熱風による加熱乾燥を、２分間ずつ行った。これにより、剥離フィルムの一表面に薄膜状の導電性組成物（以下、「導電層」という。）が形成された。
【００２９】
次に、導電層を所定の大きさに切断した後、導電層から剥離フィルムを剥離することにより、ストレッチャブル導電層３のサンプルｆ１，ｆ３を得た。
[ストレッチャブル導電層の実施例７]
乾燥後の膜厚が４０μｍとなるように導電性溶液を剥離フィルムの一表面に塗布する点を除いては、実施例６と同様にして剥離フィルムの一表面に導電層を形成し、導電層を所定の大きさに切断した後、導電層から剥離フィルムを剥離することにより、ストレッチャブル導電層３のサンプルｇ１，ｇ３を得た。
【００３０】
上記で得られた各サンプルにおける導電性フィラーの充填率と、各サンプルの長さＬ、幅Ｗおよび厚さＴを表１に示した。また、各サンプルの形状の模式図を図２に示した。各サンプルの形状は、図２に示すように、平面視矩形の帯状である。なお、図２において、Ｌはサンプルの長さを示し、Ｗはサンプルの幅を示し、Ｔはサンプルの厚さを示している。
［第１の評価実験］
サンプルａ１，ｂ１，ｃ１，ｄ１，ｅ１，ｆ１，ｇ１に対して、第１の評価実験を行った。第１の評価実験では、まず、サンプルを自作の疲労試験機に取り付けた。ここで、自作の疲労試験機は、対向する方向に往復可能なように動作する３０ｃｍ四方の一対のアクリル板を設けたものである。このアクリル板の表面に、サンプルの両端をそれぞれ固着させ、さらに両端をワニ口クリップで挟持して電気抵抗測定装置と接続した。次いで、サンプルを、１０秒間、自然状態で維持する。この期間を第１期間Ｐ１という場合がある。この後、サンプルに対して、２０％引張歪を周波数１．０Ｈｚで１００回繰り返して加える。この期間を第２期間Ｐ２という場合がある。第２期間Ｐ２は、１００秒である。最後に、サンプルを、１２０秒の間、再び自然状態で維持する。この期間を第３期間Ｐ３という場合がある。そして、これらの各期間中において、サンプルの両端間の抵抗を測定した。
【００３１】
２０％引張歪とは、サンプルの伸張率ｒが２０％となるような引張歪である。サンプルの伸張前の長さをＬ１、サンプルの伸張後の長さをＬ２、サンプルの伸張前の長さＬ１に対する伸張後の長さＬ２の増加分をΔＬ（＝Ｌ２−Ｌ１）とすると、伸張率ｒは、次式（１）で表される。
ｒ＝（ΔＬ／Ｌ１）×１００  …（１）
各サンプルａ１，ｂ１，ｃ１，ｄ１，ｅ１，ｆ１，ｇ１の伸張前の長さＬ１は、１５ｃｍであるので、２０％引張歪が加えられたときの各サンプルａ１，ｂ１，ｃ１，ｄ１，ｅ１，ｆ１，ｇ１の伸張後の長さは１８ｃｍとなる。
【００３２】
図３Ａ、図３Ｂおよび図３Ｃは、第１の評価実験の結果を示すグラフである。図３Ａの折線Ａ１，Ｂ１およびＣ１は、それぞれサンプルａ１，ｂ１およびｃ１の抵抗値の変化を示している。図３Ｂは、図３Ａの折線Ａ１，Ｂ１およびＣ１における抵抗値０Ω〜５０Ωの範囲内の部分を拡大して示している。図３Ｃの折線Ｄ１，Ｅ１，Ｆ１およびＧ１は、それぞれサンプルｄ１，ｅ１，ｆ１およびｇ１の抵抗値の変化を示している。図３Ｃの横軸および縦軸の目盛幅は、それぞれ図３Ｂの横軸および縦軸の目盛幅と等しい。図３Ａ、図３Ｂおよび図３Ｃのグラフにおいて、Ｐ１，Ｐ２およびＰ３は、それぞれ第１期間Ｐ１、第２期間Ｐ２および第３期間Ｐ３を表している。
【００３３】
図３Ａ、図３Ｂおよび図３Ｃのグラフから理解されるように、第２期間Ｐ２においては、各サンプルａ１，ｂ１，ｃ１，ｄ１，ｅ１，ｆ１，ｇ１の抵抗値は、引張歪を加えた回数が多くなるほど大きくなった。各サンプルａ１，ｂ１，ｃ１，ｄ１，ｅ１，ｆ１，ｇ１への周期的な引張歪の付加を停止すると、各サンプルａ１，ｂ１，ｃ１，ｄ１，ｅ１，ｆ１，ｇ１の抵抗値は急激に小さくなり、その後、徐々にそれらの抵抗値は減少した（第３期間Ｐ３参照）。
【００３４】
また、図３Ａ、図３Ｂおよび図３Ｃのグラフから理解されるように、第２期間Ｐ２において、各サンプルａ１，ｂ１，ｃ１，ｄ１，ｅ１，ｆ１，ｇ１の抵抗値の増加率は、異なっている。例えば、図３Ａおよび図３Ｂに示すように、サンプルａ１では、第２期間Ｐ２の開始時点での抵抗値は０．８Ωであり、第２期間Ｐ２での抵抗値の最大値は１７８．６Ωであった。サンプルｂ１では、第２期間Ｐ２の開始時点での抵抗値は１．２Ωであり、第２期間Ｐ２の終了直前の抵抗値の最大値は１７．８Ωであった。サンプルｃ１では、第２期間Ｐ２の開始時点での抵抗値は２．０Ωであり、第２期間Ｐ２の抵抗値の最大値は２２．９Ωであった。
【００３５】
つまり、各サンプルａ１，ｂ１，ｃ１に対して、２０％引張歪を周波数１．０Ｈｚで１００回繰り返して加えた場合、サンプルａ１では抵抗値が３０Ω以上となるが、サンプルｂ１およびサンプルｃ１では、抵抗値が３０Ω以下となった。したがって、デンドライト状の導電性フィラーの充填率は、導電性組成物中７０質量％以上９５質量％以下であれば、２０％引張歪を周波数１．０Ｈｚで１００回繰り返して加えた場合の抵抗値の増加が小さくなると予測できる。また、デンドライト状の導電性フィラーの充填率は、導電性組成物中７５質量％以上９０質量％以下であれば、２０％引張歪を周波数１．０Ｈｚで１００回繰り返して加えた場合の抵抗値の増加がより小さくなると予測できる。
【００３６】
また、図３Ｃに示されるように、サンプルｄ１では、第２期間Ｐ２の開始時点での抵抗値は１．４Ωであり、第２期間Ｐ２の抵抗値の最大値は１８．０Ωであった。サンプルｅ１では、第２期間Ｐ２の開始時点での抵抗値は５．８Ωであり、第２期間Ｐ２の抵抗値の最大値は４０．６Ωであった。サンプルｆ１では、第２期間Ｐ２の開始時点での抵抗値は０．８Ωであり、第２期間Ｐ２の抵抗値の最大値は８．４Ωであった。サンプルｇ１では、第２期間Ｐ２の開始時点での抵抗値は１．８Ωであり、第２期間Ｐ２の抵抗値の最大値は１８．２Ωであった。このことから、サンプルの厚みが同じであれば、銀粉を使用したサンプルｆ１，ｇ１の方が、銀コート銅粉を使ったサンプルｄ１，ｅ１に比べて、第２期間Ｐ２での抵抗値の増加率および第２期間Ｐ２での抵抗値の最大値がともに小さいことがわかる。言い換えれば、サンプルの長さおよび幅が同じであるとすると、第２期間Ｐ２での抵抗値の最大値を所定値以下にするためには、銀粉を使用したサンプルｆ１，ｇ１では、銀コート銅粉を使用したサンプルｄ１，ｅ１に比べてストレッチャブル導電層の厚さを薄くすることができる。
［第２の評価実験］
サンプルａ２，ｂ２，ｃ２に対して、第２の評価実験を行った。第２の評価実験では、まず、サンプルを、１０秒間、自然状態で維持する。この期間を第１期間Ｐ１という場合がある。この後、サンプルに対して、４０％引張歪を周波数１．０Ｈｚで１００回繰り返して加える。この期間を第２期間Ｐ２という場合がある。第２期間Ｔ２は、１００秒である。最後に、サンプルを、１２０秒の間、再び自然状態で維持する。この期間を第３期間Ｐ３という場合がある。そして、これらの各期間中において、サンプルの両端間の抵抗を測定した。
【００３７】
図４は、第２の評価実験の結果を示すグラフである。図４のグラフにおいて、折線Ａ２，Ｂ２およびＣ２は、それぞれサンプルａ２，ｂ２およびｃ２の抵抗値の変化を示している。また、図４のグラフにおいて、Ｐ１，Ｐ２およびＰ３は、それぞれ第１期間Ｐ１，第２期間Ｐ２および第３期間Ｐ３を表している。図４のグラフから理解されるように、第２期間Ｐ２においては、各サンプルａ２，ｂ２，ｃ２の抵抗値は、引張歪を加えた回数が多くなるほど大きくなった。サンプルへの周期的な引張歪の付加を停止すると、各サンプルａ２，ｂ２，ｃ２の抵抗値は急激に小さくなり、その後、徐々にそれらの抵抗値は減少した（第３期間Ｐ３参照）。
【００３８】
また、図４のグラフから理解されるように、第２期間Ｐ２において、各サンプルａ２，ｂ２，ｃ２の抵抗値の増加率は、異なっている。具体的には、サンプルａ２では、第２期間Ｐ２の開始時点での抵抗値は０．３Ωであり、第２期間Ｐ２の抵抗値の最大値は２００Ω以上（測定限界）であった。サンプルｂ２では、第２期間Ｐ２の開始時点での抵抗値は０．３Ωであり、第２期間Ｐ２の抵抗値の最大値は３１．４Ωであった。サンプルｃ２では、第２期間Ｐ２の開始時点での抵抗値は１．４Ωであり、第２期間Ｐ２の抵抗値の最大値は４１．９Ωであった。
【００３９】
つまり、各サンプルａ２，ｂ２，ｃ２に対して、４０％引張歪を周波数１．０Ｈｚで１００回繰り返して加えた場合、サンプルａ２では抵抗値の最大値が５０Ω以上となるが、サンプルｂ２およびサンプルｃ２では、抵抗値の最大値が５０Ω以下となる。したがって、デンドライト状の導電性フィラーの充填率は、導電性組成物中７０重量％以上９５重量％以下であれば、４０％引張歪を周波数１．０Ｈｚで１００回繰り返して加えた場合の抵抗値の増加が小さくなると予測できる。また、デンドライト状の導電性フィラーの充填率は、導電性組成物中７５質量％以上９０質量％以下であれば、４０％引張歪を周波数１．０Ｈｚで１００回繰り返して加えた場合の抵抗値の増加がより小さくなると予測できる。
［第３の評価実験］
サンプルａ３，ｂ３，ｃ３，ｄ３，ｅ３，ｆ３，ｇ３に対して、第３の評価実験を行った。第３の評価実験は、次のように行われる。まず、伸長前のサンプルの両端部間の抵抗値を測定する。この後、サンプルを予め定められた複数の所定長さまで伸長させ、伸長後のサンプルの両端部間の抵抗値を測定する。このような抵抗値の測定を、伸長率０％から２００％までの範囲で、伸長率が２０％ずつ異なる複数種類の伸長率に対して行った。
【００４０】
表２は、サンプルａ３に対する第３の評価実験の結果を示している。表３は、サンプルｂ３に対する第３の評価実験の結果を示している。表４は、サンプルｃ３に対する第３の評価実験の結果を示している。表５は、サンプルｄ３に対する第３の評価実験の結果を示している。表６は、サンプルｅ３に対する第３の評価実験の結果を示している。表７は、サンプルｆ３に対する第３の評価実験の結果を示している。表８は、サンプルｇ３に対する第３の評価実験の結果を示している。
【００４１】
図５Ａ，図５Ｂおよび図５Ｃは、第３の評価実験の結果を示すグラフである。図５Ａのグラフにおいて、折線Ａ３，Ｂ３，Ｃ３，Ｄ３，Ｅ３，Ｆ３およびＧ３は、それぞれサンプルａ３，ｂ３，ｃ３，ｄ３，ｅ３，ｆ３およびｇ３の伸長率に対する抵抗値を示している。図５Ｂは、図５Ａにおける折線Ａ３〜Ｇ３のうちの、Ｂ３，Ｄ３およびＥ３のみを示すグラフである。図５Ｃは、図５Ａにおける折線Ａ３〜Ｇ３のうちの、Ｄ３，Ｅ３，Ｆ３およびＧ３のみを示すグラフである。
【００４２】
【表２】
0006660542.tif 000003
【００４３】
【表３】
0006660542.tif 000004
【００４４】
【表４】
0006660542.tif 000005
【００４５】
【表５】
0006660542.tif 000006
【００４６】
【表６】
0006660542.tif 000007
【００４７】
【表７】
0006660542.tif 000008
【００４８】
【表８】
0006660542.tif 000009
【００４９】
表２〜表８において、長さＬ１は、サンプルの伸長前の長さを表している。各サンプルａ３，ｂ３，ｃ３，ｄ３，ｅ３，ｆ３およびｇ３の伸長前の長さＬ１は、５ｃｍである。長さＬ２は、サンプルの伸長後の長さを表している。伸張率ｒは、前記式（１）に基いて演算された値である。抵抗値Ｒ１は、サンプルの伸長前の抵抗値を表している。抵抗値Ｒ２は、サンプルの伸長後の抵抗値を表している。
【００５０】
図５Ａ，図５Ｂおよび図５Ｃに示すように、いずれのサンプルａ３，ｂ３，ｃ３，ｄ３，ｅ３，ｆ３およびｇ３においても、伸張率１２０％の伸張時の抵抗値Ｒ２は５０Ω以下となっている。これにより、実施例１〜７は、伸張可能であってかつ伸張時における抵抗率の増加を抑制できる導電性組成物であることがわかる。また、図５Ａに示すように、サンプルｃ３では、伸張率１４０％の伸張時にサンプルｃ３が切断され、非導通状態となった（表４も併せて参照）。また、サンプルａ３では、伸張率１６０％の伸張時に、サンプルａ３は切断されないが、非導通状態となった（表２も併せて参照）。これに対して、サンプルｂ３，ｄ３，ｅ３，ｆ３およびｇ３では、図５Ａ，図５Ｂおよび図５Ｃに示すように、伸張率２００％の伸張時においても非導通状態とならなかった。サンプルｂ３，ｄ３，ｅ３，ｆ３およびｇ３の伸張率２００％の伸張時の抵抗値Ｒ２は、それぞれ、２０３Ω，４８１Ω、６４１Ω、４２０Ω、５２０Ωであった（表３〜表８も併せて参照）。
【００５１】
このことから、導電性組成物における導電性フィラーの充填率が、７０質量％以上９５質量％以下であれば、伸縮性が高くかつ伸長時の抵抗値の増加を抑制できることが予測できる。また、導電性組成物における導電性フィラーの充填率が、７５質量％以上９０質量％以下であれば、伸縮性がより高くかつ伸長時の抵抗値の増加をより抑制できることが予測できる。また、導電性組成物における導電性フィラーの充填率が、７５質量％以上８５質量％以下であれば、伸縮性が極めて高くかつ伸長時の抵抗値の増加をより効果的に抑制できることが予測できる。
【００５２】
また、図５Ｂから、サンプルの厚さが薄いほど、伸張率２００％の伸張時の抵抗値Ｒ２が高くなることがわかる。また、図５Ｃの折線Ｄ３とＦ３との比較および折線Ｅ３とＧ３との比較から、サンプルの厚さが同じである場合には、導電性フィラーとして銀粉を用いた方が、銀コート銅粉を用いる場合に比べて、伸張率２００％の伸張時の抵抗値Ｒ２が低くなることがわかる。
【００５３】
前述の実施例１〜７では、エラストマーとしてＤＩＣ株式会社製のパンデックス３７２Ｅまたは大日精化工業株式会社製のＮＥ−３１０が使用されているが、エラストマーとして大日精化工業株式会社製ＮＥ−８８８０、ＭＡＵ−９０２２、ＮＥ−３０２ＨＶ、ＣＵ−８４４８等を使用してもよい。
［テキスタイル用ストレッチャブル導電性フィルムの製造方法］
図６Ａ〜図６Ｃは、ストレッチャブル導電性フィルム１の製造方法を示す工程図である。
【００５４】
まず、図６Ａに示すように、第１剥離フィルム２の一表面にストレッチャブル導電層３を形成することにより、第１の積層フィルム２１を作成する。
次に、図６Ｂに示すように、第２剥離フィルム５の一表面にホットメルト接着剤層４を形成することにより、第２の積層フィルム２２を作成する。
最後に、図６Ｃに示すように、第１の積層フィルム２１におけるストレッチャブル導電層３側表面と、第２の積層フィルム２２におけるホットメルト接着剤層４側の表面とを、ラミネート接着する。これにより、ストレッチャブル導電性フィルム１が得られる。
【００５５】
図７Ａ〜図７Ｃは、ストレッチャブル導電性フィルム１の他の製造方法を示す工程図である。
まず、図７Ａに示すように、第１剥離フィルム２の一表面にストレッチャブル導電層３を形成する。
次に、図７Ｂに示すように、ストレッチャブル導電層３における第１剥離フィルム２側とは反対側の表面に、ホットメルト接着剤層４を形成する。
【００５６】
最後に、図７Ｃに示すように、ホットメルト接着剤層４におけるストレッチャブル導電層３側とは反対側の表面に、第２剥離フィルム５を貼る。これにより、ストレッチャブル導電性フィルム１が得られる。
［テキスタイル用ストレッチャブル導電性フィルムの使用方法］
図８Ａ〜図８Ｄを参照して、ストレッチャブル導電性フィルム１の使用方法について説明する。
【００５７】
まず、ストレッチャブル導電性フィルム１を、使用目的に応じた形状に切断する。
次に、図８Ａに示すように、ストレッチャブル導電性フィルム１から第２剥離フィルム５を剥がす。
この後、図８Ｂに示すように、第２剥離フィルム５が剥がされたストレッチャブル導電性フィルム１（以下、「ストレッチャブル導電性フィルム１１」という場合がある。）を、そのホットメルト接着剤層４側表面がテキスタイル生地５０に対向するようにして、テキスタイル生地５０上に載せる。そして、アイロン等を用いて、ストレッチャブル導電性フィルム１１を、テキスタイル生地５０に熱圧着する。
【００５８】
この後、図８Ｃに示すように、ストレッチャブル導電性フィルム１１から第１剥離フィルム２を剥がす。これにより、図８Ｄに示すように、ストレッチャブル導電層３とホットメルト接着剤層４とからなるストレッチャブル導電性フィルム１（以下、「ストレッチャブル導電性フィルム１２」という場合がある。）が、テキスタイル生地５０に貼り付けられた状態となる。
［テキスタイル用ストレッチャブル導電性フィルムの使用形態］
ストレッチャブル導電性フィルム１は、心電計測、筋電計測等の生体情報計測用の電極・配線材として使用される。
【００５９】
図９は、ストレッチャブル導電性フィルム１が心電計測用の電極・配線材として使用される例を示す模式図である。
伸縮性のある生地で作られたシャツ６０の前側裏面に、ストレッチャブル導電性フィルム１２から構成された心電計測用配線パターンが貼り付けられている。心電計測用配線パターンは、第１配線６１と、第２配線６２と、第３配線６３とを含む。各配線６１，６２，６３は、電極部６１ａ，６２ａ，６３ａと、端子部６１ｂ，６２ｂ，６３ｂと、それらを接続する配線部６１ｃ，６２ｃ，６３ｃとからなる。電極部６１ａ，６２ａ，６３ａは、人体に接触する部分であり、心電計測用電極を構成している。第１配線６１および第２配線６２の電極部６１ａ，６２ａは、シャツ６０の前側裏面の胸部に対応する位置に配置されている。第３配線６３の電極部６３ａは、シャツ６０の前側裏面の側腹部に対応する位置に配置されている。端子部６１ｂ，６２ｂ，６３ｂは、配線６１，６２，６３を心電計測機に接続するための端子を構成している。端子部６１ｂ，６２ｂ，６３ｂは、シャツ６０の前側裏面の下端部に配置されている。
【００６０】
シャツ６０の前側裏面には、各配線６１，６２，６３の配線部６１ｃ，６２ｃ，６３ｃを覆う長尺状のストレッチャブル保護フィルム６４が張り付けられている。ストレッチャブル保護フィルム６４は、配線部６１ｃ，６２ｃ，６３ｃの表面（ストレッチャブル導電層３）を絶縁したり、配線部６１ｃ，６２ｃ，６３ｃの表面（ストレッチャブル導電層３）にスクラッチ（傷）が生じるのを防止したりする役割を有する。ストレッチャブル保護フィルム６４としては、例えば、ストレッチャブル導電層３で使用しているエラストマーに、カーボンブラックを充填したものを用いることができ、同様に、可塑剤、加工助剤、架橋剤、加硫促進剤、加硫助剤、老化防止剤、軟化剤、着色剤等の添加剤を含んでいてもよい。
【００６１】
図１０は、ストレッチャブル導電性フィルム１が筋電計測用の電極・配線材として使用される例を示す模式図である。
前腕部に装着されるアームカバー７０の裏面（内周面）に、ストレッチャブル導電性フィルム１２から構成された筋電計測用配線パターンが貼り付けられている。アームカバー７０は、伸縮性のある生地で作られている。筋電計測用配線パターンは、第１配線７１と、第２配線７２と、第３配線７３とを含む。各配線７１，７２，７３は、電極部７１ａ，７２ａ，７３ａと、端子部７１ｂ，７２ｂ，７３ｂと、それらを接続する配線部７１ｃ，７２ｃ，７３ｃとからなる。電極部７１ａ，７２ａ，７３ａは、人体に接触する部分であり、筋電計測用電極を構成している。電極部７１ａ，７２ａ，７３ａは、アームカバー７０の裏面における前腕筋肉部に対応する位置に配置されている。端子部７１ｂ，７２ｂ，７３ｂは、配線７１，７２，７３を筋電計測機に接続するための端子を構成している。端子部７１ｂ，７２ｂ，７３ｂは、アームカバー７０の一端部に配置されている。
【００６２】
アームカバー７０の裏面には、各配線７１，７２，７３の配線部７１ｃ，７２ｃ，７３ｃを覆う長尺状のストレッチャブル保護フィルム７４が張り付けられている。ストレッチャブル保護フィルム７４は、前述のストレッチャブル保護フィルム６４と同じ材料からなる。
［ストレッチャブル導電性フィルムの評価試験］
ストレッチャブル導電性フィルム１のサンプルを複数種類作成し、それらのサンプルを図８Ａ〜図８Ｄで説明したような方法で伸縮性繊維生地に貼り付けることにより、複数種類の試験用サンプルｈ，ｉ，ｊを作成した。なお、ストレッチャブル導電性フィルム１の伸縮性繊維生地への貼り付けは、アイロンを用いて１２０℃で熱圧着することにより行った。そして、各試験用サンプルｈ，ｉ，ｊに対して、評価試験を行った。評価試験の内容および評価結果について後述する。
【００６３】
図１１Ａは、試験用サンプルの構成を図解的に示す平面図である。図１１Ｂは、試験用サンプルの構成を図解的に示す正面図である。
各試験用サンプルｈ，ｉ，ｊは、平面視で長方形状の伸縮性繊維生地８０と、伸縮性繊維生地８０の表面中央部に貼り付けられた平面視で長方形状のストレッチャブル導電性フィルム１２（１）とからなる。伸縮性繊維生地８０に貼り付けられたストレッチャブル導電性フィルム１２は、伸縮性繊維生地８０側のホットメルト接着剤層４と、ホットメルト接着剤層４上に形成されたストレッチャブル導電層３とからなる。
【００６４】
各試験用サンプルｈ，ｉ，ｊにおいて、伸縮性繊維生地８０の形状、大きさ、材料等は同じである。伸縮性繊維生地８０の長さＬ１および幅Ｗ１は、それぞれ、Ｌ１＝１００ｍｍおよびＷ１＝３０ｍｍである。伸縮性繊維生地８０の厚さは、０．３７ｍｍである。
各試験用サンプルｈ，ｉ，ｊにおいて、ストレッチャブル導電性フィルム１２の平面形状および大きさは同じである。ストレッチャブル導電性フィルム１２の長さＬ２および幅Ｗ２は、それぞれ、Ｌ２＝５０ｍｍおよびＷ２＝１０ｍｍである。平面視において、伸縮性繊維生地８０の各長辺と、その長辺に対応するストレッチャブル導電性フィルム１２の長辺との間隔Ｄ１は、１０ｍｍである。伸縮性繊維生地８０の各短辺と、その短辺に対応するストレッチャブル導電性フィルム１２の短辺との間隔Ｄ２は、２５ｍｍである。
【００６５】
各試験用サンプルｈ，ｉ，ｊにおいて、ストレッチャブル導電層３の導電性組成物の材質および厚さは同じである。具体的には、導電性フィラーは、平均粒径５μｍでデンドライト状の銀コート銅粉（三井金属鉱業株式会社製）である。銀コート銅粉の充填率（導電性組成物における導電性フィラーの充填率）は８０質量％である。エラストマーは、ポリウレタン系エラストマー（大日精化工業株式会社製  ＮＥ−３１０）である。ストレッチャブル導電層３の厚さは、６０μｍである。
【００６６】
各試験用サンプルｈ，ｉ，ｊにおいて、ホットメルト接着剤層４の材質は同じであるが、その厚さが異なっている。ホットメルト接着剤層４は、熱可塑性ポリウエレタン（シーダム株式会社製  ＳＨＭ１０１−ＰＵＲ  融点：１１５℃，デュロメータ硬度：７５Ａ，破断伸度：８００％）である。ただし、試験用サンプルｈの厚さは３０μｍであり、試験用サンプルｉの厚さは７０μｍであり、試験用サンプルｊの厚さは１００μｍである。
【００６７】
各試験用サンプルｈ，ｉ，ｊを３個ずつ作成した。そして、各試験用サンプルに対して、評価試験を行った。評価試験では、試験用サンプルの一端を固定し、他方を一定速度（この例では、２００ｍｍ／sec）で引っ張り、一定時間毎に試験用サンプルの伸張率［％］と、ストレッチャブル導電性フィルム１２の両端間の抵抗値［Ω］とを測定した。そして、３つの試験用サンプルｈの時間毎の抵抗値の中央値を、試験用サンプルｈの時間毎の抵抗値とした。また、３つの試験用サンプルｉの時間毎の抵抗値の中央値を、試験用サンプルｉの時間毎の抵抗値とした。また、３つの試験用サンプルｊの時間毎の抵抗値の中央値を、試験用サンプルｊの時間毎の抵抗値とした。
【００６８】
図１２は、試験用サンプルに対する評価試験の結果を示すグラフである。図１２の曲線Ｈ，ＩおよびＪは、それぞれ試験用サンプルｈ，ｉおよびｊの抵抗値の変化を示している。
このグラフから、ホットメルト接着剤層４の厚さが大きい程、ストレッチャブル導電性フィルム１２の最大伸張率は小さくなるが、ストレッチャブル導電性フィルム１２の伸張率に対する抵抗値は小さくなることがわかる。
【００６９】
以上、この発明の実施形態について説明したが、この発明はさらに他の形態で実施することもできる。前述の実施形態では、ストレッチャブル導電性フィルム１は、第１剥離フィルム２と、ストレッチャブル導電層３と、ホットメルト接着剤層４と、第２剥離フィルム５とから構成されている。しかし、ストレッチャブル導電性フィルムは、ストレッチャブル導電層と、ストレッチャブル導電層の一表面に形成されたホットメルト接着剤層とを含んでいれば、前述の実施形態と異なる構造を有していてもよい。
【００７０】
以下、図１３Ａ〜図１３Ｅを参照して、この発明の第２〜第６実施形態に係るストレッチャブル導電性フィルムの構成について説明する。
図１３Ａは、この発明の第２実施形態に係るストレッチャブル導電性フィルムの構成を示す断面図である。このストレッチャブル導電性フィルム１Ａは、ストレッチャブル導電層３と、ストレッチャブル導電層３の一表面に形成されたホットメルト接着剤層４と、ホットメルト接着剤層４におけるストレッチャブル導電層３側とは反対側の表面に形成された剥離フィルム５とから構成されている。
【００７１】
図１３Ｂは、この発明の第３実施形態に係るストレッチャブル導電性フィルムの構成を示す断面図である。このストレッチャブル導電性フィルム１Ｂは、ストレッチャブル導電層３と、ストレッチャブル導電層３の一表面に形成されたホットメルト接着剤層４と、ストレッチャブル導電層３におけるホットメルト接着剤層４側とは反対側の表面に形成された剥離フィルム２とから構成されている。
【００７２】
図１３Ｃは、この発明の第４実施形態に係るストレッチャブル導電性フィルムの構成を示す断面図である。このストレッチャブル導電性フィルム１Ｃは、ストレッチャブル導電層３と、ストレッチャブル導電層３の一表面に形成されたホットメルト接着剤層４と、ストレッチャブル導電層３におけるホットメルト接着剤層４側とは反対側の表面の少なくとも一部に形成されたストレッチャブル保護層６と、ホットメルト接着剤層４におけるストレッチャブル導電層３側とは反対側の表面に形成された剥離フィルム８とから構成されている。ストレッチャブル保護フィルム６４は、ストレッチャブル導電層３におけるホットメルト接着剤層４側とは反対側の表面の一部または全部を絶縁したり、ストレッチャブル導電層３におけるホットメルト接着剤層４側とは反対側の表面の一部または全部にスクラッチ（傷）が生じるのを防止したりする役割を有する。ストレッチャブル保護層６としては、例えば、ストレッチャブル導電層３で使用しているエラストマーに、カーボンブラックを充填したものを用いることができ、同様に、可塑剤、加工助剤、架橋剤、加硫促進剤、加硫助剤、老化防止剤、軟化剤、着色剤等の添加剤を含んでいてもよい。
【００７３】
図１３Ｄは、この発明の第５実施形態に係るストレッチャブル導電性フィルムの構成を示す断面図である。このストレッチャブル導電性フィルム１Ｄは、ストレッチャブル導電層３と、ストレッチャブル導電層３の一表面に形成されたホットメルト接着剤層４と、ストレッチャブル導電層３におけるホットメルト接着剤層４側とは反対側の表面の少なくとも一部に形成されたストレッチャブル保護層６と、ストレッチャブル導電層３におけるホットメルト接着剤層４側とは反対側の表面側に、ストレッチャブル保護層６を覆うように形成された剥離フィルム７とから構成されている。
【００７４】
図１３Ｅは、この発明の第６実施形態に係るストレッチャブル導電性フィルムの構成を示す断面図である。このストレッチャブル導電性フィルム１Ｅは、ストレッチャブル導電層３と、ストレッチャブル導電層３の一表面に形成されたホットメルト接着剤層４と、ストレッチャブル導電層３におけるホットメルト接着剤層４側とは反対側の表面の少なくとも一部に形成されたストレッチャブル保護層６と、ストレッチャブル導電層３におけるホットメルト接着剤層４側とは反対側の表面側に、ストレッチャブル保護層６を覆うように形成された第１剥離フィルム７と、ホットメルト接着剤層４におけるストレッチャブル導電層３側とは反対側の表面に形成された第２剥離フィルム８とから構成されている。
【００７５】
図１４Ａは、ストレッチャブル導電性フィルム１Ｅの使用状態を示す断面図である。
ストレッチャブル導電性フィルム１Ｅを使用する場合には、まず、ストレッチャブル導電性フィルム１Ｅを、使用目的に応じた形状に切断する。次に、ストレッチャブル導電性フィルム１Ｅから第２剥離フィルム８を剥がす。この後、第２剥離フィルム８が剥がされたストレッチャブル導電性フィルム１Ｅを、そのホットメルト接着剤層４側表面がテキスタイル生地５０に対向するようにして、テキスタイル生地５０上に載せる。そして、アイロン等を用いて、ストレッチャブル導電性フィルム１Ｅを、テキスタイル生地５０に熱圧着する。この後、ストレッチャブル導電性フィルム１Ｅから第１剥離フィルム７を剥がす。これにより、図１４Ａに示すように、ストレッチャブル保護層６とストレッチャブル導電層３とホットメルト接着剤層４とからなるストレッチャブル導電性フィルム１Ｅ（図１４Ａに符号１２Ｅａで示す）が、テキスタイル生地５０に貼り付けられた状態となる。
【００７６】
図１４Ｂは、ストレッチャブル導電層３の表面の一部にのみにストレッチャブル保護層６が形成されているストレッチャブル導電性フィルム１Ｅの使用状態を示す断面図である。ストレッチャブル導電層３の表面の一部にのみにストレッチャブル保護層６が形成されている場合には、図１４Ｂに示すように、ストレッチャブル導電層３と、ストレッチャブル導電層３の一方表面の一部のみに形成されたストレッチャブル保護層６と、ストレッチャブル導電層３の他方表面に形成されたホットメルト接着剤層４とからなるストレッチャブル導電性フィルム１Ｅ（図１４Ｂに符号１２Ｅｂで示す）が、テキスタイル生地５０に貼り付けられた状態となる。
【００７７】
ストレッチャブル導電層３の表面の一部にのみにストレッチャブル保護層６が形成されている場合に、露出したストレッチャブル導電層は電極または配線として使用することができる。ストレッチャブル導電層３の表面の一部にのみにストレッチャブル保護層６が形成されている構成は、ストレッチャブル保護層６がストレッチャブル導電層３上にあらかじめパターニングされたものを切り出すことにより作製することができる。
【００７８】
なお、テキスタイル生地にホットメルト接着剤層を介して貼りつけられたストレッチャブル導電層の上に一部にストレッチャブル保護フィルムを貼りつけることにより、ストレッチャブル導電層３の表面の一部にのみにストレッチャブル保護フィルムが形成された構成を得ることもできる。
その他、特許請求の範囲に記載された事項の範囲で種々の設計変更を施すことが可能である。
【符号の説明】
【００７９】
１，１Ａ〜１Ｅ  テキスタイル用ストレッチャブル導電性フィルム
２，５，７，８  剥離フィルム
３  ストレッチャブル導電層
４  ホットメルト接着剤層
６  ストレッチャブル保護層
【図１】
0006660542.tif 000010
【図２】
0006660542.tif 000011
【図３Ａ】
0006660542.tif 000012
【図３Ｂ】
0006660542.tif 000013
【図３Ｃ】
0006660542.tif 000014
【図４】
0006660542.tif 000015
【図５Ａ】
0006660542.tif 000016
【図５Ｂ】
0006660542.tif 000017
【図５Ｃ】
0006660542.tif 000018
【図６】
0006660542.tif 000019
【図７】
0006660542.tif 000020
【図８】
0006660542.tif 000021
【図９】
0006660542.tif 000022
【図１０】
0006660542.tif 000023
【図１１】
0006660542.tif 000024
【図１２】
0006660542.tif 000025
【図１３】
0006660542.tif 000026
【図１４】
0006660542.tif 000027